(57)【要約】【課題】  本発明は車両が道路を通過しようとするとき、その道路が駐車可能道路か否かの適切な情報を事前に提供することのできるナビゲーションシステムを提供することを目的とする。【解決手段】  駐車可能車線を含む駐車可能道路を含む道路データを記憶した道路データ記憶手段と、目的地までのルートを案内するルート案内手段と、前記ルート上の前記駐車可能道路を抽出する駐車可能道路抽出手段と、抽出された前記駐車可能道路で注意喚起を出力する注意喚起出力手段と、を備える、ナビゲーションシステムである。【選択図】図１
2008128746.tif 000002
【特許請求の範囲】
【請求項１】
駐車可能車線を含む駐車可能道路を含む道路データを記憶した道路データ記憶手段と、
目的地までのルートを案内するルート案内手段と、
前記ルート上の前記駐車可能道路を抽出する駐車可能道路抽出手段と、
抽出された前記駐車可能道路で注意喚起を出力する注意喚起出力手段と、
を備える、ナビゲーションシステム。
【請求項２】
前記注意喚起手段は、
前記駐車可能道路内の駐車可能車線以外の車線を選択する通行車線選択手段と、
選択された前記車線を強調出力する強調出力手段と、
を備える、ことを特徴とする請求項１に記載のナビゲーションシステム。
【請求項３】
前記道路データ記憶手段は前記駐車可能道路に付随する駐車可能時間帯に関するデータを記憶し、前記通行車線選択手段は抽出された前記駐車可能道路への到達予定時刻が前記駐車可能時間帯と一致するとき、前記駐車可能車線以外の車線を選択する、ことを特徴とする請求項２に記載のナビゲーションシステム。
【請求項４】
前記注意喚起手段は、
前記ルート案内手段で案内されたルートが前記駐車可能道路を通過して左折するルートであるとき、警告を出力する警告出力手段を備える、ことを特徴とする請求項１に記載のナビゲーションシステム。
【請求項５】
駐車可能車線を含む駐車可能道路を含む道路データを記憶した道路データを記憶するステップと、
目的地までのルートを案内するルートを案内するステップと、
前記ルート上の前記駐車可能道路を抽出する駐車可能道路抽出ステップと、
抽出された前記駐車可能道路を注意喚起する注意喚起出力ステップと、
を備える、ナビゲーション方法。
【請求項６】
請求項５に記載のナビゲーション方法をコンピュータが実行可能なプログラム。
【発明の詳細な説明】
【技術分野】
【０００１】
本発明はナビゲーションシステム、ナビゲーション方法及びそのプログラムに関する。詳しくは、ルート中に駐車可能車線への進入の制限若しくは注意喚起を行うナビゲーションシステム、ナビゲーション方法及びプログラムに関する。
【背景技術】
【０００２】
車両の現在位置から目的地までのルートに沿って案内するナビゲーションシステムが普及している。このナビゲーションシステムで案内されるルート上において、時間制限駐車区間の規制標識や駐車可の指示標識が設置された区間の道路（以下、駐車可能道路ということがある。）を通過することがある。この駐車可能道路の左車線（以下、駐車可能車線ということがある。）には他の車両が駐車することがある。
一方、特許文献１には車両が駅などの公共施設に近づくと当該公共施設周辺の拡大図を表示するナビゲーションシステムが開示されている。公共施設周辺は複雑な構造となっているため、拡大図を確認することで運転者は容易に公共施設周辺の構造を把握することができる。したがって、運転者は詳細の知らない公共施設へ進入したときも速やかに車両を進行させることができる。
【特許文献１】特開平１０−１２２８７９号公報
【発明の開示】
【発明が解決しようとする課題】
【０００３】
ところで、ナビゲーションシステムによって案内されたルートが駐車可能道路を通行するルートであるとき、その左車線は駐車可能車線となる。この駐車可能道路を通過しようとする運転者は駐車可能車線に駐車された他の車両に注意しながら運転することになる。例えば、他の車両のドアが突然開いたり、他の車両の影から人が飛び出ることがあるためである。一方、運転者はこれから通過しようとする道路が駐車可能道路であるか否かの判断をその道路へ接近して規制標識等を目視で確認するまでできない。また、当該道路へ接近したとしても、運転者は規制標識等を見落とすおそれもある。
そこで、本発明は車両が道路を通過しようとするとき、その道路が駐車可能道路か否かの適切な情報を事前に提供することのできるナビゲーションシステムを提供することを目的とする。
【課題を解決するための手段】
【０００４】
本発明は上記目的を達成するためにされたものであり、次のように構成される。即ち、
駐車可能車線を含む駐車可能道路を含む道路データを記憶した道路データ記憶手段と、
目的地までのルートを案内するルート案内手段と、
前記ルート上の前記駐車可能道路を抽出する駐車可能道路抽出手段と、
抽出された前記駐車可能道路で注意喚起を出力する注意喚起出力手段と、
を備える、ナビゲーションシステムである。
【０００５】
上記発明によれば、道路データ記憶手段には駐車可能道路が記憶されており、その駐車可能道路には駐車可能車線が含まれる。従って、駐車可能道路抽出手段はルート案内手段によって案内されたルート上における駐車可能道路を抽出することが可能となる。よって、車両が駐車可能道路へ進入する前に、注意喚起を出力することが可能となる。
このように運転者は走行しようとする道路が駐車可能道路であることの注意喚起を事前に受けることができるので、駐車可能道路であることを認識したうえで運転することが可能となる。
【０００６】
以下に本発明の各要素について説明する。
道路データ記憶手段にはナビゲーションシステムに用いられる道路データが記憶されている。道路データには、一対のノードとこの一対のノードを繋ぐリンクとで規定される単位道路データが含まれる。リンクには道路の距離データ、道路の車線数、道路に関する規制データ等の道路に関する諸データが付随される。この道路に関する規制データには駐車可能道路に関するデータが含まれる。ここで、駐車可能道路は駐車可能車線を含む道路をいう。駐車可能車線は時間制限駐車区間の規制標識や駐車可の指示標識が設置された区間を含む車線をいう。
【０００７】
ルート案内手段は車両の現在位置から目的地までのルートを抽出し、当該ルートを画面に表示して案内するものである。車両の現在位置はＧＰＳやジャイロなどを用いて特定される。ルートは各種の条件が反映されて決定される。例えば、設定されるルートにコストを反映させてコストの低いルートを選択することができる。ここで、コストとは、走行のしやすさを示す係数をいう。例えば、国道と県道とでコストに違いを持たせたり、頻繁に渋滞が生じる道路か否かでコストに違いを持たせたりすることができる。従って、ルートの距離が短い場合であっても、コストが高いと判断されれば、他方のルートが選択されることもある。
【０００８】
駐車可能道路抽出手段はルート上にある駐車可能道路を単位道路データごとに抽出する。具体的には、駐車可能道路抽出手段は、ルート設定した場合において、車両の現在位置からルートに沿って進行したときの所定数の単位道路データが駐車可能道路に関する規制データを含んでいるか否かをチェックし、駐車可能道路に関する規制データを含んでいる単位道路データを抽出する。このように抽出された単位道路データは画面上に駐車可能道路として表示されることとなる。なお、チェック対象となる単位道路データの数は任意に設定可能である。この発明の実施例では、運転者が駐車可能道路を認識できる最大縮尺（広域表示）の画面表示において、当該画面に表示される単位道路データの数をチェック対象単位道路データ数としている。この単位道路データの数として、例えば５〜３０の任意に整数を選択することができる。
【０００９】
注意喚起出力手段は抽出された駐車可能道路を走行する前に注意喚起を出力するものである。注意喚起を出力するタイミングは任意に設定することができるが、駐車可能道路を走行する前に出力することが好ましい。注意喚起の態様は特に限定されないが、駐車可能車線へ近づいている旨を画面上に表示してもよいし、音声にてガイダンスしてもよい。
【００１０】
注意喚起出力手段は通行車線選択手段と強調出力手段とを更に備えることができる。
通行車線選択手段は抽出された駐車可能道路内の駐車可能車線以外の車線を走行すべき車線として選択するものである。この選択された車線は強調出力手段によって強調表示され、運転者が走行する車線の目安となる。強調表示の方法は特に限定されず、走行すべき車線を駐車可能車線と色違いで表示させたり、走行すべき車線を点滅させてもよい。
【００１１】
注意喚起出力手段は警告出力手段を更に備えることができる。
ルート案内出力手段で設定されたルートが駐車可能道路を通過して交差点を左折するルートであるとき、車両は左車線を通過しなければならない。すなわち、車両は他の車両が駐車されている可能性のある駐車可能車線を通過することになる。したがって、警告出力手段は車両が駐車可能車線を走行しようとするとき警告を出力する。警告を出力するタイミングは任意に設定することができるが、駐車可能車線に進入しようとするときに警告を出力することが好ましい。警告の態様は特に限定されず、例えば、画面上に駐車可能車線へ進入する旨を表示してもよいし、音声ガイダンスにて出力してもよい。
【００１２】
道路データ記憶手段は駐車可能道路に付随する駐車可能時間帯に関するデータを記憶する。駐車可能時間帯とは時間制限駐車区間の規制標識で決められる駐車可能な時間帯をいう。駐車可能車線の駐車可能時間帯が８−２０時であれば、その時間帯が記憶される。また、駐車可の指示標識が設置された車線においては、車両は終日駐車可能であるため、０−２４時までの時間帯を記憶している。
なお、本ナビゲーションシステムは時刻特定機能を備える。
【００１３】
この発明の他の局面は次のように規定される。駐車可能車線を含む駐車可能道路を含む道路データを記憶した道路データを記憶するステップと、目的地までのルートを案内するルートを案内するステップと、前記ルート上の前記駐車可能道路を抽出する駐車可能道路抽出ステップと、抽出された前記駐車可能道路を注意喚起する注意喚起出力ステップと、を備える、ナビゲーション方法である。
このように規定されるナビゲーション方法によれば、道路データ記憶手段には駐車可能道路が記憶されており、その駐車可能道路には駐車可能車線が含まれる。従って、駐車可能道路抽出手段はルート案内手段によって案内されたルート上における駐車可能道路を抽出することが可能となる。よって、車両が駐車可能道路へ進入する前に、注意喚起を出力することが可能となる。
【００１４】
この発明の他の局面は次のように規定される。
ナビゲーションシステムを制御するコンピュータに、
駐車可能車線を含む駐車可能道路を含む道路データを記憶した道路データを記憶するステップと、
目的地までのルートを案内するルートを案内するステップと、
前記ルート上の前記駐車可能道路を抽出する駐車可能道路抽出ステップと、
抽出された前記駐車可能道路を注意喚起する注意喚起出力ステップと、
を実行させるコンピュータが実行可能なプログラム。
このように規定されるプログラムによれば、このプログラムをナビゲーションシステムにインストールすることにより、上述のナビゲーション方法と同様の作用効果を得られる。
【実施例１】
【００１５】
以下に本発明の実施例を示す。図１は実施例のナビゲーションシステム１０の構成を示し、図２はその画面表示例である。
本実施例では、図２に示すように、車両１０１が駐車可能車線のない道路１２０、駐車可能道路を含む道路１３０、駐車可能道路を含む道路であって、駐車可能時間帯が規定されている道路１４０の順に走行する場合のナビゲーションシステム１０の動作を説明する。
図３は駐車可能道路１３０の画面表示例である。図４は駐車可能道路であって、駐車可能時間帯が規定されている道路１４０の画面表示例である。
【００１６】
図１はナビゲーションシステム１０のブロック図である。ナビゲーションシステム１０は制御部２１、現在位置特定部２３、入力部２４、表示部２５、音声出力部２６、インターフェース部２７、時刻表示部２８、ルート案内部３１、駐車可能道路抽出部３２、注意喚起出力部３３、記憶部４０を備える。
【００１７】
制御部２１はＣＰＵ２２を備える。制御部２１はナビゲーションシステム１０を構成する各要素と接続される。ＣＰＵ２１は制御プログラムを制御プログラム記憶領域４１から読み出して実行することにより、各要素を制御する。
現在位置特定部２３は車両１０１の現在位置を特定する。現在位置特定部２３はＧＰＳ受信装置、ジャイロ、その他のセンサを備える。
入力部２４はナビゲーションシステム１０の入力操作を行うものであり、各種の入力ボタン、ステック等からなる。例えば、ルート設定時における目的地を入力するために用いられたり、後述する所定のノード数を入力することもできる。
表示部２５は地図や案内等の内容を表示するものである。表示部２５には液晶ディスプレイ等が用いられる。
音声出力部２６はナビゲーションシステム１０で処理された内容を音声として出力するものである。
【００１８】
インターフェース部２７は外部の情報を取り込むものである。例えば、インターフェース部２７は地図データなどを記憶したＤＶＤを読み取るためのＤＶＤドライブや外部コンピュータからデータの取得をするための接続端子をいう。
時刻特定部２８は現在時刻を特定するものである。この現在時刻は演算部３１aに読み出され、車両１０１が駐車可能道路へ到達する予定時刻を演算するために用いられる。
【００１９】
ルート案内部３１は車両１０１の現在位置から目的地までのルートを案内する。目的地の設定は入力部２４から行われる。
駐車可能道路抽出部３２はルート内にある駐車可能道路を抽出する。この実施例では、現在位置よりルート進行方向にある１０個の単位道路データが駐車可能道路を規制データとして備えているか否かをチェックし、当該規制データを備えている単位道路データを抽出する。この単位道路データで表示される道路が駐車可能道路である。
注意喚起出力手段３３は通行車線選択部３３１、強調出力部３３２、警告出力部３３３を備える。
通行車線選択部３３１は抽出された駐車可能道路から駐車可能車線以外の車線を選択する。この選択された車線が車両１０１の走行すべき車線となる。
【００２０】
演算部３３５は車両１０１が現在位置から駐車可能道路に到達するまでの時間を演算するために用いられる。
強調出力部３３２は選択された車線を強調出力する。強調出力の方法は強調表示部３３２が強調表示記憶領域４３から所定の強調表示を読み出して、選択された車線にその所定の強調表示を反映させる。
警告出力部３３３は車両１０１が駐車可能車線に進入しようとするときに、警告を出力する。警告方法は車両１０１が駐車可能車線に進入しようとすることを表示部２５に表示したり、音声出力部２６から駐車可能車線に進入しようとする旨をメッセージする。
【００２１】
記憶部４０は制御プログラム記憶領域４１、道路データ記憶領域４２、強調表示パターン記憶領域４３、第１の記憶領域４４を備える。
制御プログラム記憶領域４１はナビゲーションシステム１０を構成する各要素を制御するための制御プログラムが記憶される領域である。
道路データ記憶領域４２は道路データを記憶する。道路データは道路に関する距離データ、道路間の接続データ、道路の車線数、交差点情報、道路に関する規制情報等の道路に関する諸データが含まれる。
駐車可能道路記憶領域４２１は駐車可能車線記憶領域４２２、駐車可能時間帯記憶領域４２３、駐車可能領域記憶領域４２４を備える。駐車可能道路記憶領域４２１は駐車可能車線を含む走行車線に関するデータを記憶する。駐車可能車線記憶領域４２２は時間制限駐車区間の規制標識や駐車可の指示標識が設置された車線に関する情報が記憶されている。駐車可能車線は通常駐車可能道路の最も左側の車線となる。
【００２２】
駐車可能時間帯記憶領域４２３は駐車可能車線の駐車可能な時間帯を記憶する。時間制限駐車区間の規制標識においては、駐車可能な時間帯は８−２０時を記憶している。駐車可の指示標識においては、終日駐車可能であるため０−２４時までを時間帯として記憶している。駐車可能時間帯記憶領域４２３に記憶されている駐車可能な時間帯は駐車可能車線記憶領域４２２に記憶された駐車可能車線と関連付けて記憶されている。
駐車可能領域記憶領域４２４は駐車可能車線における駐車可能領域を記憶する。駐車可能道路が交差点に接続されており、車両が駐車可能車線を通過して交差点を左折する場合、車両は当該駐車可能車線を通行する必要がある。すなわち、運転者は駐車可能車線に駐車された他の車両に注意しなければならない。そこで、当該駐車可能車線に対しては、予め駐車可能領域を記憶しておき、車両が当該駐車可能領域に進入する前に警告できるようにするために、駐車可能領域を記憶する。なお、駐車可能領域は駐車可能車線記憶領域４２２に記憶された駐車可能車線と関連付けて記憶されている。
【００２３】
強調表示記憶領域４３は走行すべき車線を強調表示するための強調表示が記憶されている。強調表示には点滅表示、変色表示等を用いる。この強調表示は強調出力部３３２に読み出され、駐車可能車線以外の車線を強調するために用いられる。
【００２４】
第１の記憶領域４４はナビゲーションシステム１０で処理されたデータを一時的に記憶する領域である。
駐車可能道路選択手段が駐車可能道路を抽出したとき、当該駐車可能道路を一時的に記憶する。
また、通行車線選択部３３１が選択した駐車可能車線以外の車線及び当該車線に関連付けられた強調表示を一時的に記憶するために用いられる。強調表示部２０は車両１０１が当該車線へ近づいたときに当該車線に関連付けられた当該強調表示を第１の記憶領域４４から読み出して、当該車線を強調表示することになる。
通行車線選択部３３１が駐車可能車線記憶領域４２２から駐車可能領域２２０を特定して、その領域を一時的に記憶するためにも用いられる。
【００２５】
図２は表示部２５に表示例である。図２において、符号１０１は車両を示し、符号１０２はルート（太線）を示す。
図３は道路１３０の表示例であり、符号１３１a、１３１bは駐車可の指示標識を示す。車線Ａ、車線Ｂ、車線Ｃは車両１０１が通行可能な車線である。車線Ａにおける符号１３１a-１３１b間は駐車可能車線となる。符号１３２は強調表示された車線であって、車両１０１が走行すべき車線を示す。
図４は道路１４０の表示例であり、符号１４１a、１４１bは時間制限駐車区間の規制標識を示す。車線Ａ１、車線Ｂ１、車線Ｃ１は車両１０１が通行可能な車線である。車線Ａ１における符号１４１a-１４１b間は駐車可能車線となる。符号１４２は強調表示された車線であって、車両１０１が走行すべき車線を示す。
【００２６】
以下に、道路１２０、１３０、１４０を車両１０１が走行する場合のナビゲーションシステム１０の動作を図５及び図６に示すフローチャート並びに図７に示す道路データ構成図を用いて説明する。
図７（Ａ）は案内を開始した直後の道路データの構成図であり、車両は単位道路データＮｏ．ｎに存在する。図７（Ｂ）は車両が進行して単位道路データＮｏ．ｎ＋１に移動した状態を示す。実線枠は画面表示対象の領域を示す。点線枠は駐車可能道路抽出部３２による駐車可能道路の抽出対象領域を示し、この実施例では進行方向へ１０個の単位道路データを含む領域が抽出対象領域となる。
【００２７】
ルート案内部３１が案内ルートを設定すると（ステップ１）、車両１０１の現在位置が現在位置特定部２３により特定されて、当該車両の存在する道路が特定される（ステップ３）。この実施例では、この道路に対応する単位道路データの番号はｎである。次に、駐車可能道路抽出部３２が抽出対象領域即ち、車両１０１の現在位置から１０個先までの単位道路データ（Ｎｏ．ｎ+１〜Ｎｏ．ｎ+１０)につき、駐車可能道路に関する規制データを具備しているものを抽出する（ステップ５）。更に、ステップ７において抽出された単位道路データにつきその駐車可能時間帯を読出し、当該単位道路データに対応する道路への到着予定時間を演算し（ステップ９）、両者が一致する単位道路データを抽出する（ステップ１１）。このようにして抽出された単位道路データに対応する道路を駐車可能道路として第１の記憶領域４４に保存する（ステップ１３）。
【００２８】
続いて、現在の画面表示の縮尺が運転者にとって駐車可能道路を認識できる程度の縮尺であるか否かを判断し（ステップ１５）、画面表示が当該縮尺であるとき（ステップ１５：Ｙ）、ステップ１９へ進む。一方、画面表示が当該縮尺でないとき、即ち広域表示であって駐車可能道路と他の道路とを画面上で峻別することができないとき（ステップ１５：Ｎ）、画面の縮尺を大きくして（即ち狭域表示として）駐車可能道路を表示可能として（ステップ１７）、ステップ１９へ進む。
ステップ１９では、画面表示対象領域内にある駐車可能道路を第１の記憶領域４４から読み出す。この実施例では単位道路データＮｏ．ｎ＋２及びＮｏ．ｎ＋３がそれぞれ駐車可能道路１３０、駐車可能道路１４０として特定される。
ステップ２１ではステップ１９で特定された駐車可能道路につき注意喚起を行なう。注意喚起の方法として、駐車可能道路が一般道路から峻別できるように、駐車可能道路の色や輝度を変化させることができる。更には、点滅表示を行なうこともできる。このような強調表示の他に、ポップアップ画面を開いてコメントを表示すること及び／又は音声案内によっても運転者に駐車可能道路の存在を知らしめることができる。
【００２９】
この発明の一つの実施例では、図６のフローチャートに示すように、ステップ２１１において、抽出された駐車可能道路につき通行車線選択部２１が駐車可能車線以外の車線を選択する。そして、強調出力部３３２が強調表示領域４３から強調表示の態様として点滅表示を読み出し、選択された当該車線に関連付ける（ステップ２１３）。
ステップ２１５では、画面の縮尺が車線を表示できるものであるか否かを判断し、画面が車線表示可能な縮尺であるときはステップ２１１で選択された車線をステップ２１３で特定された態様により強調表示する（ステップ２１７）。
選択された車線（駐車可能車線以外の車線）を強調表示した例を図３及び図４に示す。
【００３０】
なお、案内ルート上において抽出された駐車可能道路が左折手前道路であるときは、図８に示すように、駐車可能車線Ａ２の駐車可能領域２２０の通行を避けられないので、車両２０１又は２０１ａが当該駐車可能車線へ進入したとき、警告出力部３３３が警告を音声出力部２６から出力することが好ましい。警告の内容として、例えば「駐車車両があるおそれがあります。注意して走行してください。」を採用することができる。これにより、ルート内にある駐車可能車線を通過して交差点を左折する場合、当該駐車可能車線へ進入するときでも、運転者が注意喚起のための警告を受けることができるため、過度な注意を払うことなく運転することができる。
【００３１】
上記の実施例によれば、走行しようとする道路が駐車可能道路であることの注意喚起を事前に受けることができるので、運転者は駐車可能車線に注意しながら安全に走行することができる。
上記の説明では、案内ルート上にある駐車可能道路を抽出対象としているが、画面に表示可能な全ての駐車可能道路を抽出して、上記と同様にして抽出された駐車可能道路を他の道路と峻別可能とすることができる。
【００３２】
この発明は、上記発明の実施の形態及び実施例の説明に何ら限定されるものではない。特許請求の範囲の記載を逸脱せず、当業者が容易に想到できる範囲で種々の変形態様もこの発明に含まれる。
【図面の簡単な説明】
【００３３】
【図１】図１はナビゲーションシステムのブロック図である。
【図２】図２は表示部の表示例である。
【図３】図３は表示部の他の表示例である。
【図４】図４は表示部の他の表示例である。
【図５】図５はナビゲーションシステムの動作を説明するフローチャートである。
【図６】図６は注意喚起動作を説明するサブルーチンである。
【図７】図７は道路データ構成図である。
【図８】図８は表示部の他の表示例である。
【符号の説明】
【００３４】
１０  ナビゲーションシステム
２３  現在位置特定部
３１  ルート案内部
３２  駐車可能道路抽出部
３３  注意喚起出力部
３３１  通行車線選択部
３３２  強調出力部
３３３  警告出力部
４０  記憶部
１３１a、１３１b、２１１a、２１１b  駐車可の指示標識
１４１a、１４１b  時間制限駐車区間の規制標識
【図１】
2008128746.tif 000003
【図２】
2008128746.tif 000004
【図３】
2008128746.tif 000005
【図４】
2008128746.tif 000006
【図５】
2008128746.tif 000007
【図６】
2008128746.tif 000008
【図７】
2008128746.tif 000009
【図８】
2008128746.tif 000010